(57)【要約】【課題】遠赤外線のクリーンで安全な発熱作用により効率的な暖房をするとともに、従来の暖房装置に比し消費電力を抑えることを前提として、軽量かつコンパクト設計により持ち運び自在で省スペースでも使用及び収納ができるパーソナルな床暖房を提供すること。【解決手段】左右端に接続端子を備えて通電で遠赤外線を放射する発熱シートをガードカバーと断熱カバーで覆ったパネルを少なくとも２枚、屈折できるように連結する。使用に際しては、前記パネルを椅子等の下方空間に配設して、遠赤外線の発熱効果により足元の冷えを解消する。床暖房シートは各パネルを連結する箇所に屈折部を設けることにより、コンパクトに折り曲げることができる。【選択図】図９
0003109064.tif 000002
【実用新案登録請求の範囲】
【請求項１】
左右端に接続端子５１を備えて通電により遠赤外線放射する面状発熱シート５の表面をガードカバー４で覆い、裏面を断熱カバー６で覆ったパネル1a〜1ｄを、屈折自在で折畳みができるようにしたことを特徴とする床暖房シート。
【請求項２】
前記面状発熱シート５は、シリコンゴム又はテフロン（登録商標）をバインダーとして、ガラス繊維布にカーボンを焼き付け、その左右端に銅箔を長手方向に縫着延設してなり、通電によりシート両端の銅箔に流れることで遠赤外線放射することを特徴とする請求項１記載の床暖房シート。
【請求項３】
前記面状発熱シート５の表面を覆うガードカバー６は、タイルカーペット、塩化ビニール、またはアクリル素材、などの絶縁性素材を用いたことを特徴とする請求項１〜請求項２のいずれかに記載の床暖房シート
【請求項４】
前記面状発熱シート５は、少なくとも2枚以上を屈折自在にかつ電気的に連結したものであることを特徴とする請求項１〜請求項３のいずれかに記載の床暖房シート。
【請求項５】
前記少なくとも2枚以上のパネル1a〜1ｄを屈折自在にかつ電気的に連結する構成は、略長方形の面状発熱シート５の表面を覆うガードカバー４又は裏面を覆う断熱カバー６のいずれかを2枚以上覆う長さにして連結したものであることを特徴とする請求項１〜請求項４のいずれかに記載の床暖房シート。
【考案の詳細な説明】
【技術分野】
【０００１】
本考案は、折り畳むことができる床暖房シートに関するものである。
【背景技術】
【０００２】
従来から住宅等で採用されている暖房装置として、電気、ガス、石油を燃料とした対流熱式暖房装置、輻射熱式暖房装置が主流である。
【０００３】
しかし、セラミックヒーターに代表される輻射熱式暖房装置及び石油ストーブに代表される対流熱式暖房装置等による暖房は、室内上方空間の空気の温度が下方空間に比べ高くなり、椅子に座った際足元から膝にかけて冷えを感ずる。
【０００４】
また、ガスや石油の燃焼による空気の汚染は不可避であるとともに安全性においても問題がある。
【０００５】
さらに、上記暖房装置には大型で重量なものが多いため、持ち運びが困難で使用場所が制限され、オフシーズン時においては広い収納スペースを要する等の問題があった。
又、折り畳み式の電熱ヒーターは、様々なものが開発されている。数枚の電熱ヒーターを内蔵したパネルを、折っても接続のための電線が邪魔にならないようにパネルに接続電線のための切欠きを設けたものなどがある。但し従来品は抵抗線による電熱ヒーターであるので、厚みがあり、遠赤外線を放射せず床暖房に適するとはいえないものであった。
【特許文献１】特開２０００−２０５５８５
【考案の開示】
【考案が解決しようとする課題】
【０００６】
本考案が解決しようとする課題は、床暖房を軽量コンパクトにかつパーソナルにできないかという課題である。
上記従来型の暖房装置は、パーソナルな個別暖房に関しては、効率的かつ機動性に富んだ暖房を行えないという面がある。
すなわち、部屋ごとの暖房などでは同じ暖房温度でも、人によっては不十分な温度であったり、過度な温度であったりする。
特にオフィスでの事務では、デスク周りで活動する時間が長いものであるので、その活動域でのパーソナルな暖房が課題となる。
【課題を解決するための手段】
【０００７】
前記課題を解決するため、本考案は、着席時の椅子やソファーの下方空間に着眼しその部分に、最小限の着席域（着席した状態や足を前方に伸ばした状態での活動範囲域）を床暖房するに適切な暖房手段を案出したものである。
具体的には、椅子の腰掛け部から床にかけての空間（デッドスペース）を活用することに着眼し、さらに、個別の床暖房を行う場合でも、冬季以外は不要であるので、床暖房設備は、軽量かつコンパクトな設計にすることで持ち運び乃至収納を容易に行える構成を案出したものである。
【０００８】
ここに本考案にかかる床暖房シートは、１００Ｖ電源で通電し、左右端に接続端子を備えて通電により遠赤外線放射する面状発熱シートの表面をタイルカーペット等でガードカバーし、裏面を断熱カバーで覆ったパネルを、屈折自在に連結したことを特徴とする床暖房シートである。
椅子の腰掛け部の下方空間に、使用に際して展開敷設して部分床暖房として遠赤外線効果により放熱し、椅子の上方域や周囲や足元の冷えを暖房することができる。
【０００９】
前記床暖房シートには、壁部のコンセント電源から通電するための通電手段(スイッチや温度調節器やリード線  コード等)を設けている。
因みに、発熱シートは、形状だけを見れば、電気式暖房に採用されている様々な機能のものがある（甲種電気用品認定ＮＯ．８１−２０６１０  日本・アメリカ・イギリスA・他）が、本考案では遠赤外線を放射するものが不可欠である。
接触による伝熱暖房のみではなくデスク周りの活動域や着席域の床暖房が基本だからである。
【００１０】
発熱体は、椅子の下方空間から上方に向けて遠赤外線を放射するとともに本体自体も電熱で発熱することで、着席活動域を床暖することになる。
発熱体は椅子の下方空間に敷設できる程のコンパクトなもので、軽量であることを要するとともに、本考案では、折り畳むことができる構造が必要である。
床暖房シートは、収納時と持ち運び時はコンパクトに折り畳める収納形態と、使用時には面積を広げることができる展開形態が可能な構成が採択される。
【００１１】
発熱体は、面状発熱シートを用いた。
面状発熱シートは、薄いシート状のヒーターであり、 シリコンゴム又はテフロン（登録商標）をバインダーとして、ガラス繊維布にカーボンを焼き付けたものでその左右端に銅箔を長手方向に縫着延設したものであり、＋と−の電気がシート両端の銅箔に流れることで面全体から熱を発する作用がある。
原料であるカーボンからは、８〜１５ミクロンの波長で、遠赤外線が効率よく放射される。一般に５〜１００ミクロンの波長のものを遠赤外線といい、その中でも６〜１４ミクロンの波長帯は、「生育光線」、「健康光線」と称されており、本考案の面状発熱シートはこの波長帯を放射するものである。
【００１２】
カーボンに加えて、適宜なセラミックを混入し、不燃性合成樹脂に混練してシート状に成型し、健康光線域の波長帯を選択することも可能である。
遠赤外線の放射により、室内の温度は床から天井までむらなく一定になり、暖かい空気が天井付近にのみ集まることがない。
遠赤外線が体を直接温めるので、高い天井や広いスペースでも、１８℃〜２１℃の室温で十分な暖を採ることが出来、暖房効率に優れている。
又、ボイラー等の使用を前提としないし、機械的可動部分もないので、定期的な点検や補修などのメンテナンスも必要なく、極めてランニングコストが経済的といえる。 
温水のパイプや熱線を使用する床暖房と、同じ熱エネルギーが必要な場合として比べると、本考案の面状発熱シートは、発熱する部分は低い温度でも面積が広いために、面全体の抵抗値が均一で温度むらが少なく、部分的に温度が上がりすぎてしまうような事がなく、電気代が約1/3になるほか、ロスが少なく効率的であることが確認できた。 
【００１３】
この面状発熱シートは、端子に通電することで、面全体がむらなく発熱し、遠赤外線を放射し、発熱暖房できる平面状の発熱シートであれば、前記のもの以外も採用が可能である。
因みに前記の製法のものに限らず、カーボンやセラミック等の混合液をガラス繊維布に塗布して極薄のシート状に成型して左右縁に銅箔等の端子を接着延設した構成で  
【００１４】
本考案で用いる面状発熱シートは、カーボンやテフロン（登録商標）の塗付焼付方法に特別な工夫がなされ、又、電気が流れる銅箔の部分がミシンで縫い付けられていて丈夫で耐久性はあるが、折り曲げたり、異物で傷をつけたりすると何らかの影響もありえる。
本考案では、その表面にタイルカーペット等で保護するようにガードカバーを設け、裏面には断熱して有効利用するように断熱板などの断熱カバーを設けたパネルとしている。
【００１５】
ガードカバーは、木、合成樹脂タイルカーペット、塩化ビニール、またはアクリル素材、などの絶縁性素材を用いた。
ガードカバーにＦＲＰ（ガラスクロス・ウレタン基材）を使用すれば、平面状に限らず、湾曲面を形成することもできる。色彩や模様も自由である。
ガードカバーは、丈夫なアルミ合金パネルでも作成できる。アルミ合金パネルは、ＯＡフロア用に開発されたパネルの平面体であり、強度上の要請に十分答えることが出来かつ伝熱性に優れているとともに、電磁波防御や遠赤外線放射効果もある。
アルミ合金パネルにする場合は、銅箔とは絶縁層で絶縁し、表面には布製カーペットを張っても良い。
ガードカバーは、大理石やテラコッタなどの石材でもよい。発熱部分は低温で均一であるので、石等の床材にストレスをあまり与えない。
このサンドイッチ構造のパネルには、１００Ｖ、４０Ｗ〜６０Ｗ程度の電源を供給して、発熱機能させる。
【考案の効果】
【００１６】
以上説明した通り、本考案に係る床暖房シートの上記構成によれば、従来の暖房装置において欠如していた任意の空間にパーソナルな環境を作り出すことができ、十分な暖房効果及び利便性と機動性を備えた床暖房シートを提供することができる。
すなわち、例えば椅子の下に簡単に敷いて使用できるもので、その着席域空間と椅子に腰掛けた際足元乃至膝に感ずる冷えを解消できる等の個別床暖房ができる。
個別に部分的には十分にできるので、効率的であり、合理的である。
床暖房シート自体が、軽量かつコンパクトであるから、持ち運びが容易で使用する場所と収納スペースを選ばない点はきわめて使い勝手が良い。
以上の効果を兼ね備えた床暖房シートであるので、簡便に、より健康かつ安全で快適な暖房生活に寄与できる。
オフィス空間では、各人が環境温度をパーソナルに調整できる。
【考案を実施するための最良の形態】
【００１７】
以下、本考案の実施例を図面に基づいて説明する。
図１は本考案の床暖房シート１の実施例１の構成を示す斜視図である。
図１で示すように、本考案の床暖房シート１は、４枚の暖房パネル１ａ〜１ｄの連結で構成されている。
暖房パネル１ａ〜１ｄの、１枚のパネルの外形寸法は、縦３０ｃｍ、横２５ｃｍである。
１シートは、パネルの長さと連結部分を含む全体寸法がｍ縦３０ｃｍ、横１１０ｃｍである。
暖房パネル１ａ〜の枚数は適宜設計で、全長も適宜設計できるが、好ましくは、２面乃至６面を１シートとして、全長１５０ｃｍ位までが使い勝手がよい。
パネル１ａ〜１ｄは、電気的には、発熱シート５の左右端に延設する銅箔帯等の接続端子５１を各パネル１ａ〜１ｄに連結して接続する。
連結のための屈折部は発熱シート５の左右の接続端子５１部分だけが存在して、しかもその接続端子５１が薄いので屈折自在になっている構成である。
【００１８】
図９の切開斜視図に示すように、パネル１ａ〜１ｄは、ガラス繊維布にカーボンを付着させたシート本体の左右端に接続端子５１である銅箔帯を逢着してそこへ通電することにより遠赤外線放射する面状の発熱シート５の表面を、ガードカバー４で覆い、裏面を断熱カバー６で覆った構造である。
パネル１ａ〜１ｄの連結には、屈折部８、９、１０を設けて屈折自在に連結して折畳みができるようにしている。
屈折部８、９、１０は、屈折すれば、どのような構成でも良い。
例えば、少なくとも2枚以上のパネルを屈折自在にかつ電気的に連結する構成は、略長方形の面状発熱シート５の表面を覆うガードカバー４又は裏面を覆う断熱カバー６のいずれかを２枚以上覆う長さにして若干の間隔をおいて連結したものとし、その間隔箇所を屈折部とすることができる。
ガードカバー４と断熱カバー６の間には、極めて薄い隙間が出来るが、この隙間を利用して接続線で電気的に隣接するパネル１ａ〜１ｄを接続することができる。
このほか、もとより微小な蝶番等の屈折部材を用いても良い。
【００１９】
前記面状の発熱シート５は、シリコンゴム又はテフロン（登録商標）をバインダーとして、ガラス繊維布にカーボンを焼き付け、その左右端に接続端子５１として銅箔の帯を長手方向に縫着延設してなり、通電によりシート両端の銅箔に流れることで発熱し、輻射熱を発し、  遠赤外線放射するものである。
前記面状発熱シート５の表面を覆うガードカバー４は、タイルカーペット、塩化ビニール、またはアクリル素材、などの絶縁性素材である。
ガードカバー４は、伸縮性の高い布素材などでもよいし、さらに例えば撥水加工したものなど二次加工したものでもよいし、積層素材でも差し支えない。
床材として問題がなく、絶縁された構成であれば素材は問うものではない。
断熱カバー６も同様であり、無駄に放熱しない絶縁構造であれば、素材は限定されない。
前記パネル１ａ〜の連結、つまり面状発熱シート５の連結は、少なくとも2枚以上を屈折自在にかつ電気的に連結したものである。
また、発熱要素である発熱シート５は、電気コード３を介してコンセントに接続され、手動電源スイッチ２によりＯＮ/ＯＦＦ制御及びコントローラで温度調整される。
【００２０】
次にパネル１ａ〜１ｄの構造について説明する。
図２は本考案の実施例１の床暖房シート１を構成する暖房パネル１ａ〜１ｄの中央断面図である
図２で示すように、暖房パネル１ａ〜１ｄは発熱シート５の上部表面をタイルカーペット等のガードカバー４を貼り付け、裏面に断熱カバー６を重ねたサンドイッチ状とする。
ガードカバー４、発熱シート５及び断熱カバー６の厚さはそれぞれ１センチ以下とし、暖房パネル１ａ〜１ｄの全体の厚さは３センチ以下とするのが好ましい。
発熱シート５はカーボンやセラミック等をガラス繊維又は合成樹脂シートに混練して極薄のシート状に成型して左右縁に接続端子５１を延設したものである。
本実施例は、ガードカバー４としてタイルカーペットを用いた例であるが、他には防水加工を施した塩化ビニールまたはアクリル素材、アルミパネルを用いてもよい。
発熱シート５の発熱に要する電力は１００Ｖ、４０〜６０Ｗが好適である。
【００２１】
図３と図４は本考案の実施例による前記床暖房シート１の折り方を説明する斜視図である。
図３で示すように、本考案の床暖房シート１のタイルカーペット４は屈折部８〜１０を有していて、Ｌ字型に折り曲げて折畳むことができる。
なお、任意の角度で固定することができるように、角度調整部品を備えることもできる。
この実施例は、図４で示すように、完全に折り畳むことができる。
図示していないが、折畳んだパネル１ａとパネル１ｂは屈折部１０を境にして通電を切断することができる構造にすることも可能である。
この操作により暖房を必要とする箇所を選択できる。
【００２２】
図５と図６は、実施例の使用時において床暖房シート１を椅子７の腰掛け部の下方空間に展開した際の斜視図である。
図５及び図６で示すように、使用時には前記床暖房シート１のガードカバー４を上方に位置させて展開する。
それにより発熱面が椅子の上方を向き、及び前方側に展開されるために、座った人の足元から膝にかけて遠赤外線が収束し暖房する。
さらには、図６で示すように床暖房シート１を折り曲げて任意の角度において固定することにより、足の甲から脛にかけて集中的に遠赤外線を輻射させて、暖房効果を一層高めることも可能である。
因みに、この実施例を発展させて、椅子との関係で、床暖房シート１を椅子の下方部に収納自在に構成し、引き出して床に敷設する構成も提案できる。
【００２３】
図７は同実施例の使用時において床暖房シート１を展開した状態から折り畳む際の経過を示す図である。
図７で示すように前記床暖房シート１には屈折部８〜１０を設けて折り畳むことができ、さらには任意の角度で固定できるようにする。
折り畳む際には、まず屈折部８及び９を軸にパネル１ａとパネル１ｄを上方に引き上げてパネル１ａはパネル１ｂと、パネル１ｄはパネル１ｃと重なるように折り畳む。続いて屈折部１０を軸に先に折畳んであるパネル１ｃとパネル１ｄをパネル１ａとパネル１ｂに重なるようにして折り畳む。
折畳んだ状態の床暖房シート１の厚さは１２ｃｍ位に収まれば好ましく、収納に際しては省スペースに収納できるようにする。
図８は折畳んだ状態の斜視図である。
【００２４】
図１０は、断熱カバー６を長いものとして、4枚のパネル１ａ〜１ｄを連結したものの斜視図である。
図１１は、発熱シートを内蔵した一枚のパネルである。
ガードカバー４と断熱カバー６とを伸縮性のある同素材として、表裏をリバーシブルに使用できるように構成したものである。
内部には、4枚のパネル１ａ〜１ｄがあり、間隔をおいて配置されている。
ガードカバー４と断熱カバー６とを伸縮性のある素材で作成しているので、この状態から折畳むことができる。
この構成の床暖房シート１は、ベッドの下方に取り付けて、ベッドウオーマーとして利用することも可能である。この利用法では部屋全体を暖房することに比べて、ベッドを暖めることで済むので電気料金で、１／７程度になり、省エネ効果は大きい。
【産業上の利用可能性】
【００２５】
上述の通り、本考案の床暖房シートは以下に列記する特徴を有している。
（１）床暖房を部分的にすることができ、軽量かつコンパクト設計に起因して、持ち運び自在で使用場所および収納場所を限定されない点。この特徴は、少狭な住宅の多いわが国の住宅事情において、大変利便性が高く、需要が多いものと推測する。
（２）従来の暖房装置に比して、１００Ｖ、６０W以下という極めて少ない消費電力による個別床暖房が可能である点。この特徴は、近年の地球温暖化問題に対応し、主流となりつつある省エネルギー設計を採用した当然の帰結である。
（３）体に吸収されやすい遠赤外線暖房により、効率的に足元の冷えを解消して頭寒足熱を達成する点。この特徴は、遠赤外線の健康、安全かつクリーンな性質を活かしたもので、光線や熱風や音を発するものではないので、幼年者、高齢者のいる一般家庭や医療施設等においても利用できる。
【００２６】
従来から、様々な暖房装置が開発されているが、本考案の床暖房シートは上記３つの特徴を中心に、利便性、効率性、健康および安全性を兼ね備えた暖房装置という点で画期的であり、一般家庭から高齢者住宅、医療看護施設、しいては大規模な暖房装置を要するオフィスや学校等においても利用しうるもので、大きな市場があるものと推察される。
【図面の簡単な説明】
【００２７】
【図１】本考案にかかる床暖房シートの実施例を示す斜視図
【図２】同実施例の床暖房シート１を構成する暖房パネル１ａ〜１ｄの中央断面斜視図
【図３】床暖房シートのパネルを任意の角度に曲げた状態の実施例を示す斜視図
【図４】床暖房シートのパネルを折畳んだ状態の実施例を示す斜視図
【図５】同じ実施例の床暖房シートを椅子の下方空間に展開した状態の斜視図
【図６】同じ実施例の床暖房シートを椅子の下方空間に展開してその１部パネルを折畳んだ状態の斜視図
【図７】同じ実施例の床暖房シートを展開状態から折り畳む際の経過を示す説明図
【図８】本考案にかかる床暖房シートを折畳んだ状態の斜視図
【図９】本考案にかかる床暖房シートを構成するパネルの構造を示す切開斜視図
【図１０】屈折部を断熱カバーに施した実施例の斜視図
【図１１】屈折部を露出させない実施例の斜視図
【符号の説明】
【００２８】
１    床暖房シート
１ａ  パネル
１ｂ  パネル
１ｃ  パネル
１ｄ  パネル
２    手動電源スイッチ
３    電気コード
４    ガードカバー（タイルカーペット等）
５    発熱シート
５１  接続端子
６    断熱カバー
７    椅子
８    屈折部
９    屈折部
１０  屈折部
【図１】
0003109064.tif 000003
【図２】
0003109064.tif 000004
【図３】
0003109064.tif 000005
【図４】
0003109064.tif 000006
【図５】
0003109064.tif 000007
【図６】
0003109064.tif 000008
【図７】
0003109064.tif 000009
【図８】
0003109064.tif 000010
【図９】
0003109064.tif 000011
【図１０】
0003109064.tif 000012
【図１１】
0003109064.tif 000013
【手続補正書】
【提出日】平成17年1月31日(2005.1.31)
【手続補正１】
【補正対象書類名】実用新案登録請求の範囲
【補正対象項目名】請求項２
【補正方法】変更
【補正の内容】
【請求項２】
前記面状発熱シート５は、シリコンゴム又はポリテトラフルオロエチレンをバインダーとして、ガラス繊維布にカーボンを焼き付け、その左右端に銅箔を長手方向に縫着延設してなり、通電によりシート両端の銅箔に流れることで遠赤外線放射することを特徴とする請求項１記載の床暖房シート。
【手続補正２】
【補正対象書類名】明細書
【補正対象項目名】００１１
【補正方法】変更
【補正の内容】
【００１１】
発熱体は、面状発熱シートを用いた。
面状発熱シートは、薄いシート状のヒーターであり、シリコンゴム、又はテフロン（登録商標）＝ポリテトラフルオロエチレンをバインダーとして、ガラス繊維布にカーボンを焼き付けたものでその左右端に銅箔を長手方向に縫着延設したものであり、＋と−の電気がシート両端の銅箔に流れることで面全体から熱を発する作用がある。
原料であるカーボンからは、８〜１５ミクロンの波長で、遠赤外線が効率よく放射される。一般に５〜１００ミクロンの波長のものを遠赤外線といい、その中でも６〜１４ミクロンの波長帯は、「生育光線」、「健康光線」と称されており、本考案の面状発熱シートはこの波長帯を放射するものである。
【手続補正３】
【補正対象書類名】明細書
【補正対象項目名】００１４
【補正方法】変更
【補正の内容】
【００１４】
本考案で用いる面状発熱シートは、カーボンやテフロン（登録商標）＝ポリテトラフルオロエチレンの塗付焼付方法に特別な工夫がなされ、又、電気が流れる銅箔の部分がミシンで縫い付けられていて丈夫で耐久性はあるが、折り曲げたり、異物で傷をつけたりすると何らかの影響もありえる。
本考案では、その表面にタイルカーペット等で保護するようにガードカバーを設け、裏面には断熱して有効利用するように断熱板などの断熱カバーを設けたパネルとしている。
【手続補正４】
【補正対象書類名】明細書
【補正対象項目名】００１９
【補正方法】変更
【補正の内容】
【００１９】
前記面状の発熱シート５は、シリコンゴム又はポリテトラフルオロエチレンであるテフロン（登録商標）をバインダーとして、ガラス繊維布にカーボンを焼き付け、その左右端に接続端子５１として銅箔の帯を長手方向に縫着延設してなり、通電によりシート両端の銅箔に流れることで発熱し、輻射熱を発し、  遠赤外線放射するものである。
前記面状発熱シート５の表面を覆うガードカバー４は、タイルカーペット、塩化ビニール、またはアクリル素材、などの絶縁性素材である。
ガードカバー４は、伸縮性の高い布素材などでもよいし、さらに例えば撥水加工したものなど二次加工したものでもよいし、積層素材でも差し支えない。
床材として問題がなく、絶縁された構成であれば素材は問うものではない。
断熱カバー６も同様であり、無駄に放熱しない絶縁構造であれば、素材は限定されない。
前記パネル１ａ〜の連結、つまり面状発熱シート５の連結は、少なくとも２枚以上を屈折自在にかつ電気的に連結したものである。
また、発熱要素である発熱シート５は、電気コード３を介してコンセントに接続され、手動電源スイッチ２によりＯＮ／ＯＦＦ制御及びコントローラで温度調整される。